(57)【特許請求の範囲】
【請求項１】
下端部に取付下地への固定部を備えた下側支持部と、上端部に他物固定部を備えた上側支持部とを夫々別部材で構成し、
前記下側支持部を縦筒形状に形成すると共にその筒内の上部を覆う天蓋部を設け、
前記上側支持部を縦軸心に沿った角筒形状に形成し、
縦筒形状の前記下側支持部には、その筒延長上に前記天蓋部より上方に突出した連結用面部を有し、
前記上側支持部には、角筒形状の周側壁に、下方に突出する連結用面部を有し、
前記連結用面部どうしを相互にボルトを介して連結自在な連結部に形成してあり、
前記上側支持部の上端部に他物を載置可能な天板を設けると共に、その天板に、前記他物固定部を設け、
前記天板に他物を連結固定するボルトに対するボルト取付部を、複数設けて前記天板の下方から前記ボルトを貫通させて他物を固定可能に前記他物固定部に形成し、
前記上側支持部における角筒形状の前記周側壁の隅角部にのみ、下辺から上方に入り込んだ切欠き部を設けて、その切欠き部の上側で上下方向に小幅の小幅周側壁部を形成し、前記小幅周側壁部とその小幅周側壁部に繋がる上下方向に同一幅で連続する大幅の大幅周側壁部とで一連の前記周側壁を構成し、
前記下側支持部に設けた前記連結部は、平面視で前記切欠き部に対応する箇所で、隣接する前記下側支持部の連結用面部間に縦長のスリットを形成し、
前記天板から下方に伸びた平板状の補強リブを、前記天板の下面で前記天板の対角線に沿わせて互いに対向する隅角部間、又は、互いに対向する隅角近傍部間に亘る状態で一体に取り付け、
前記補強リブの端部は、前記ボルト取付部よりも前記天板の隅角部寄りに延設して前記小幅周側壁部の横方向の中間部に一体連設してある他物固定具。
【請求項２】
前記補強リブは、夫々の前記ボルト取付部の両側に配置してある請求項１に記載の他物固定具。
【請求項３】
前記ボルト取付部は、前記対角線上に配置されると共に、前記対角線に沿った長孔に形成してある請求項２に記載の他物固定具。
【発明の詳細な説明】
【技術分野】
【０００１】
本発明は、下端部に取付下地への固定部を備えた下側支持部と、上端部に他物固定部を備えた上側支持部とを設け、前記上側支持部を縦軸心に沿った角筒形状に形成し、上側支持部の上端部に他物を載置可能な天板を設けると共に、その天板に、前記他物固定部を設けてある他物固定具に関する。
【背景技術】
【０００２】
従来、前記天板は一枚の金属製の板で形成され、前記他物固定部には、他物を連結固定するボルトに対するボルト取付部が複数設けてあるだけであった（例えば、特許文献１参照）。
【先行技術文献】
【特許文献】
【０００３】
【特許文献１】特開２０１２−７３３９号公報
【発明の概要】
【発明が解決しようとする課題】
【０００４】
上述した従来の天板に他物を載置して、ボルト取付部においてボルトで他物を連結固定した場合に、他物から受ける荷重や風や振動等によって他物を介して作用する外力に耐えるためには、一般的に、天板を厚くして強度を維持しなければならなかった。
しかし、他物固定具全体の重量が大きくなり、取付下地に固定したり搬送したりする際の作業性が低下するという問題がある。
【０００５】
従って、本発明の目的は、上記問題点を解消し、他物固定具の軽量化を図りながら固定する他物に対する支持強度を上げられるようにするところにある。
【課題を解決するための手段】
【０００６】
本発明の第１の特徴構成は、下端部に取付下地への固定部を備えた下側支持部と、上端部に他物固定部を備えた上側支持部とを夫々別部材で構成し、前記下側支持部を縦筒形状に形成すると共にその筒内の上部を覆う天蓋部を設け、前記上側支持部を縦軸心に沿った角筒形状に形成し、縦筒形状の前記下側支持部には、その筒延長上に前記天蓋部より上方に突出した連結用面部を有し、前記上側支持部には、角筒形状の周側壁に、下方に突出する連結用面部を有し、前記連結用面部どうしを相互にボルトを介して連結自在な連結部に形成してあり、前記上側支持部の上端部に他物を載置可能な天板を設けると共に、その天板に、前記他物固定部を設け、前記天板に他物を連結固定するボルトに対するボルト取付部を、複数設けて前記天板の下方から前記ボルトを貫通させて他物を固定可能に前記他物固定部に形成し、前記上側支持部における角筒形状の前記周側壁の隅角部にのみ、下辺から上方に入り込んだ切欠き部を設けて、その切欠き部の上側で上下方向に小幅の小幅周側壁部を形成し、前記小幅周側壁部とその小幅周側壁部に繋がる上下方向に同一幅で連続する大幅の大幅周側壁部とで一連の前記周側壁を構成し、前記下側支持部に設けた前記連結部は、平面視で前記切欠き部に対応する箇所で、隣接する前記下側支持部の連結用面部間に縦長のスリットを形成し、前記天板から下方に伸びた平板状の補強リブを、前記天板の下面で前記天板の対角線に沿わせて互いに対向する隅角部間、又は、互いに対向する隅角近傍部間に亘る状態で一体に取り付け、前記補強リブの端部は、前記ボルト取付部よりも前記天板の隅角部寄りに延設して前記小幅周側壁部の横方向の中間部に一体連設したところにある。
【０００７】
本発明の第１の特徴構成によれば、天板に複数設けたボルト取付部を介してボルトで他物を固定した場合に、他物から受ける荷重により天板を変形させる力が作用することがあり、前記天板から下方に伸びた平板状の補強リブを、前記天板の下面で、且つ、互いに対向する隅角部間、又は、互いに対向する隅角近傍部間に亘る状態で一体に取り付けてあるために、天板全体が補強され、その天板の変形を防止できる。
また、天板の補強のために、例えば、補強リブを天板の下面で、角筒形状の上側支持部の周側壁に平行に、且つ、格子状に配置して一体に設けることも考えられるが、この場合には、風や振動などにより他物を介して作用する外力により、天板及び上側支持部全体に対して、天板の対角線に沿った方向の曲げ力や押圧力が作用すると、弱くて変形しやすくなるのに対し、本発明の天板から下方に伸びた平板状の補強リブを設けた構造の場合には、縦軸心に沿った角筒形状の上側支持部の周側壁と、互いに対向する隅角部間、又は、互いに対向する隅角近傍部間に亘る補強リブにより、天板及び上側支持部全体に働くあらゆる方向の外力に対抗して補強できる。
その上、補強リブの端部が、ボルト取付部よりも前記天板の隅角部寄りに延設してあることにより、ボルトを介して天板のボルト取付部周辺部に作用する下方向の圧力や上方向の引き抜き力に対して、天板を補強してボルトによる他物の固定強度を上げることができる。
前記下側支持部と前記上側支持部とを夫々別部材で構成し、前記下側支持部の上端部と、前記上側支持部の下端部とに、相互にボルトを介して連結自在な連結部を設けることにより、他物固定具全体を分割して、固定する取付下地への移送を軽くして作業負担を少なくできる。
その上、前記上側支持部における角筒形状の前記周側壁の隅角部で、下辺から上方に入り込んだ切欠き部を設けて、その切欠き部の上側で上下方向に小幅の小幅周側壁部を形成し、且つ、前記下側支持部に設けた前記連結部は、平面視で前記切欠き部に対応する箇所で、隣接する前記下側支持部の連結用面部間に縦長のスリットを形成してあることにより、切欠き部を通して、他物を連結固定するボルト等の連結具を、天板の下面側から挿入できたり、またそれらの連結具に対し、連結操作用工具を使用しての上側支持部と下側支持部との連結をよりしやすくできる。
また、前記小幅周側壁部とその小幅周側壁部に繋がる上下方向に大幅の大幅周側壁部とで一連の前記周側壁を構成し、前記小幅周側壁部に前記補強リブの端部を一体連設することにより、切欠き部の形成により強度の低下する虞のある小幅周側壁部を、補強リブにより補強して、上側支持部を全体として強度を落とさずに施工性を向上させることができる。
【０００８】
本発明の第２の特徴構成は、前記補強リブは、夫々の前記ボルト取付部の両側に配置してある。
【０００９】
本発明の第２の特徴構成によれば、ボルトを介して天板におけるボルト取付部の周辺部に作用する外力は、天板を変形しようとするが、補強リブがボルト挿通孔の両側に配置されることにより、天板を重量化せずに、その変形を防止することができる。
【００１０】
本発明の第３の特徴構成は、前記ボルト取付部は、前記対角線上に配置されると共に、前記対角線に沿った長孔に形成したところにある。
【００１１】
本発明の第３の特徴構成によれば、対角線に沿った長孔にボルト挿通孔を形成してあるために、ボルトによる固定位置を長孔に沿って変位させて調整することにより、固定すべき他物の大きさが変化しても、容易に固定しやすくなる。
【００１２】
【００１３】
【００１４】
【００１５】
【００１６】
【００１７】
【図面の簡単な説明】
【００１８】
【図１】設置状態の全体斜視図である。
【図２】他物固定具の設置前の斜視図である。
【図３】他物固定具の分解斜視図である。
【図４】分解斜視図である。
【図５】設置状態の縦断面図である。
【図６】上側支持部の底面図である。
【図７】上側支持部の底面斜視図である。
【図８】別実施形態の要部斜視図である。
【図９】別実施形態の斜視図である。
【図１０】別実施形態の一部分解斜視図である。
【図１１】（ａ）、（ｂ）、（ｃ）、（ｄ）は、夫々別実施形態の上部支持部の底面図である。
【図１２】別実施形態の全体斜視図である。
【図１３】別実施形態の上側支持部における下方からの斜視図である。
【図１４】本発明の実施形態における要部拡大断面図である。
【図１５】別実施形態の要部拡大断面図である。
【発明を実施するための形態】
【００１９】
以下に本発明の実施の形態を図面に基づいて説明する。
図１〜図５に示すように、本発明の他物固定具の一実施形態品（以後、単に固定台１という）を使用して、屋上のコンクリート床やベランダ等の建築物（取付下地２の一例）の上に、ソーラーパネルやその取付フランジ部、あるいは、アンテナの支柱等の固定対象部材（他物の一例）３を固定してある状況を示している。
【００２０】
前記コンクリート床２の上には、防水シート６が敷設してある。
当該実施形態においては、コンクリート床２の全域に防水シート６が敷設してある状態で、その上に、当該固定台１を設置して、固定対象部材３を固定台１に固定してある例を示している。従って、固定台１を設置した後、その周囲に、防水シート６と固定台１の外周部にわたる状態に立上り防水層７を設置し、その上端部をバンド２９で縛ると共に、シール剤３０を塗布して雨水の浸入を防止して、固定台設置部分から下方への漏水防止を図っている。
コンクリート床２における固定台設置箇所には、予め、アンカーボルト８が設置してあり、このアンカーボルト８に固定台１が固定されている。
【００２１】
前記固定台１は、図２〜図５に示すように構成してある。
つまり、下端部にコンクリート床２への固定部９を設け、上端部に固定対象部材３の取付フランジ部５を固定する他物固定部１０を設け、固定具本体１１を鉄系材等の金属製で形成して、固定部９を備えた下側支持部１２と、他物固定部１０を備えた上側支持部１３とに上下に分割構成し、上側支持部１３と下側支持部１２を夫々略横断面略四角形の縦筒形状に形成すると共に、その下側支持部１２の筒内の底板部１４に固定部９を形成し、下側支持部１２の筒内の上部に固定部９を覆う天蓋部１５を設け、下側支持部１２の４つの筒周面部に固定部９に対する固定操作用の開口部１６を形成してある。
開口部１６の上側には、固定部９の固定操作後にその開口部１６を閉じることができる閉じ板２６を、開口部１６の周部に着脱自在に取り付けるビス２８により、開口部１６の開口状態で仮固定してある。
従って、固定操作後には、ビス２８を取り外して閉じ板２６で開口部１６を閉じた後に、ビス２８で閉じ板２６を下側支持部１２の周側壁に固定する。
【００２２】
前記固定部９には、複数の第１ボルト挿通孔１７を設けてあり、前記他物固定部１０には、ボルト取付部として第２ボルト挿通孔１８を４箇所設けてある（図４参照）。
前記第１ボルト挿通孔１７には、コンクリート床２に埋設されたアンカーボルト８が下方から挿通され、そのボルト上端部にナットＮを螺合して締め付けることで固定具本体１１がコンクリート床２に固定される。
前記第２ボルト挿通孔１８には、前記取付フランジ部５を固定するためのボルト１９が下方から挿通され、そのボルト上端部にナットＮを螺合して締め付けることで取付フランジ部５が固定台１に固定される。
【００２３】
下側支持部１２の上端部と、上側支持部１３の下端部とには、相互にボルト２０を介して連結自在な連結部２１を設けてある。
【００２４】
前記下側支持部１２の筒周部で開口部１６よりも上方に、水切り庇部２３を設けてあり、立上り防水層７及び開口部１６への雨水の浸入を防止してある。その水切り庇部２３は、前記天蓋部１５と一連の金属板から形成して周縁部を下方に折り曲げてあり、その金属板の連結部挿通孔２４に下側支持部１２の連結部２１を挿通させて組付け、溶接により一体にすると共に、雨水が下側支持部１２の内側に侵入するのを防止してある（図３）。
【００２５】
前記下側支持部１２の連結部２１は、夫々平面視で直交する連結用面部２１Ａを有して各連結用面部２１Ａにボルト挿通用丸孔２２を形成してある。前記直交する連結用面部２１Ａ間に縦長のスリット２５を形成して、そのスリット２５により、天蓋部１５の上の隅部に溜まる雨水を、外部に排水し易くなるように形成してある（図３）。
【００２６】
前記上側支持部１３の連結部２１は、夫々平面視で直交する連結用面部２１Ａを有して各連結用面部２１Ａにボルト挿通用長孔２７を形成してある。前記直交する連結用面部２１Ａ間で、且つ、上側支持部１３における角筒形状の周側壁の隅角部夫々に、下辺から上方に入り込んだ縦長の切欠き部３５を形成し、その切欠き部３５により、下側支持部１２に対して上側支持部１３を傾斜状態で連結する場合に、鉄系材の良好な靭性を利用して、連結用面部２１Ａが相手の連結用面部２１Ａになじむように変形を許容できるようにしてあり、切欠き部３５の上側に上下に小幅の小幅周側壁部３７を形成し、小幅周側壁部３７とその他の上下に大幅の大幅周側壁部３８とで、一連の周側壁を形成してある（図３、図４、図６、図７）。
【００２７】
下側支持部１２の連結部２１において、筒状周側壁の内側面には、ナットＮを受けて回り止めをするナット受け箱体３１を取付けてあるが、スリット２５及び切欠き部３５を設けてあるために、前記ナット受け箱体３１を設けない場合は、図８に示すように、下側支持部１２の連結部２１と、上側支持部１３の連結部２１とを、ボルト２０とナットＮで連結する際に、スパナ３２を挿通させてボルト２０やナットＮの回転操作又は回り止め操作用の隙間として利用できる。
また、スリット２５及び切欠き部３５は、それらを介して、他物を固定するボルト１９やナットＮに対する回転操作又は回り止め操作用の隙間にもなる。
【００２８】
図２〜図７に示すように、上側支持部１３の上端部に他物３を載置可能な４角形の天板３３を設けると共に、天板３３に他物３を連結固定するボルト取付部としてボルト１９に対するボルト挿通孔１８を複数設けて他物固定部１０に形成し、夫々のボルト挿通孔１８の両側に配置して天板３３の対角線に沿った一対の補強リブ３４を、天板３３の下面で、且つ、互いに対向する隅角部間に亘る状態で一体に取り付け、一対の補強リブ３４の端部は、ボルト挿通孔１８よりも天板３３の隅角部寄りに延設して、上側支持部１３の周側壁における小幅周側壁部３７に、溶接等により一体連設してある。
【００２９】
〔別実施形態〕
以下に他の実施の形態を説明する。
〈１〉  前記下側支持部１２と上側支持部１３とは、図１２に示すように、別部材ではなく一体形成された角筒状体であっても良い。この場合、他物３を取り付けるボルト取付部には、ボルト１９を他物固定部１０の天板３３に、下面側から上方に貫通させて予め溶接により上向きに固定しておくか、もしくは、ボルト１９を、開口部１６及び天板３３に形成したボルト挿通孔を下方から貫通させて、他物３を固定しても良い。
〈２〉  前記他物固定部１０におけるボルト取付部は、天板３３に形成したボルト挿通孔１８であって、他物３を取り付ける際にボルト１９を挿通させて固定する以外に、予め天板３３に、ボルト１９を溶接等により固定してあるものでもよい。
〈３〉  前記下側支持部１２は、必ずしも角筒形状である必要はなく、例えば、図９又は図１０に示すような円筒形状であっても良い。
〈４〉  下側支持部１２の連結部２１と上側支持部１３の連結部２１の少なくともいずれか一方に、ボルト挿通用丸孔を形成し、他方にボルト挿通用長孔を形成してあってもよく、また、上記ボルト挿通用長孔は、下側支持部１２に対する上側支持部１３の相対的上下高さ及び相対的傾斜姿勢の調整のために、上下に長い長孔や、相対的に横方向の変位調整のための横に長い長孔、または、その双方が備わっていてもよい。
〈５〉  前記ボルト挿通孔１８は、丸孔の代わりに、天板３３の対角線に沿った長孔に形成してあってもよく、この場合には、ボルト１９による固定位置を長孔に沿って変位させて調整することにより、固定すべき他物の大きさが変化しても、容易に対応させて固定することができる。
〈６〉  前記補強リブ３４の夫々の端部は、図１４に示すように、上側支持部１３の周側壁に溶接等により一体連設する以外に、図１５に示すように、周側壁と一体連設せずに離間させてあってもよく、周側壁近傍まで延設してあれば他物固定部の天板３３の歪防止等の補強機能を有する。
〈７〉  前記補強リブ３４は、天板３３及び周側壁に対して図１１（ａ）、（ｂ）、（ｃ）、（ｄ）に示すように、一体に溶接により取り付けてあっても良く、つまり、補強リブ３４と周側壁とでトラス構造を形成して補強してあればよい。また、ボルト挿通孔１８を、天板３３の対角線上に配置する以外に、図１１（ａ）及び図１１（ｂ）  に示す位置に設けてあっても良い。
〈８〉  前記補強リブ３４は、ボルト挿通孔１８の両側で一対設ける以外に、ボルト挿通孔１８の両側に夫々２本以上対角線に沿って設けてあっても良い。
〈９〉  天板３３の対角線に沿った補強リブ３４に加えて、従来一般に設ける上側支持部１３の周側壁に沿った補助補強リブを、複数本設けて天板３３に一体取り付けしてあっても良い。
〈１０〉前記補強リブには、図１３に示すように、天板３３の略中央部をより補強するために、平行する補強リブ同士に跨って一体連設する補強板部３９を設けてあっても良い。
【００３０】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３１】
１０    他物固定部
１２    下側支持部
１３    上側支持部
１８    ボルト挿通孔
１９    ボルト    
２１    連結部
３３    天板
３４    補強リブ
３５    切欠き部
３７    小幅周側壁部
３８    大幅周側壁部
【図１】
0006688558.tif 000002
【図２】
0006688558.tif 000003
【図３】
0006688558.tif 000004
【図４】
0006688558.tif 000005
【図５】
0006688558.tif 000006
【図６】
0006688558.tif 000007
【図７】
0006688558.tif 000008
【図８】
0006688558.tif 000009
【図９】
0006688558.tif 000010
【図１０】
0006688558.tif 000011
【図１１】
0006688558.tif 000012
【図１２】
0006688558.tif 000013
【図１３】
0006688558.tif 000014
【図１４】
0006688558.tif 000015
【図１５】
0006688558.tif 000016